(57)【特許請求の範囲】
【請求項１】
ユーザー機器がキャンプ・オンしているネットワーク・ノードを該ユーザー機器が変更したことを該ユーザー機器により通知するステップであって、
前記ユーザー機器が、第１ネットワーク・ノードへのキャンプ・オンから第２ネットワーク・ノードへのキャンプ・オンへと変更し、
前記ユーザー機器は、前記第１ネットワーク・ノードおよび前記第２ネットワーク・ノードにキャンプ・オンしている間アイドル・モードにあり、
前記第１ネットワーク・ノードと前記第２ネットワーク・ノードとが両方共
第１ネットワークに属する、ステップ
を含む方法であって、
前記ユーザー機器が第２ネットワークの第３ネットワーク・ノードに対するセッションを維持するときに、前記通知するステップが実行され、
前記ユーザー機器が、前記第２ネットワークの前記第３ネットワーク・ノードに対するセッションを維持していないときには、前記通知するステップは実行されない、
方法。
【請求項２】
前記第１ネットワーク・ノードおよび前記第２ネットワーク・ノードは、同じトラッキング・エリアおよび同じルーティング・エリアのうちの少なくとも１つに属している、請求項１に記載の方法。
【請求項３】
前記通知するステップは、第１情報を前記第２ネットワーク・ノードに伝送するステップを含み、
前記第１情報は、前記第３ネットワーク・ノードの識別子および不連続受信情報のうちの少なくとも１つを含む、
請求項１に記載の方法。
【請求項４】
前記通知するステップは、さらに、第２情報を前記第２ネットワーク・ノードに伝送するステップを含み、
前記第２情報を伝送する前記ステップは、前記ユーザー機器のための識別子を伝送するステップを含み、
前記ユーザー機器のための前記識別子は、国際移動体加入者識別情報（IMSI：International Mobile Subscriber Identity）、グローバル一意一時識別情報（GUTI：Globally Unique Temporary Identity）、一時移動体加入者識別情報（TMSI：Temporary Mobile Subscriber Identity）、および、前記ユーザー機器のための一時的識別情報として動作する自己生成乱数（self-generated random number）のうちの少なくとも１つを含む、請求項１ないし３のいずれか１項に記載の方法。
【請求項５】
前記通知するステップは、さらに、過去の一定期間にわたる第２ネットワークでオフロードされたトラフィック量、アプリケーション・トラフィック・タイプ、および、アクセス・クラスのうちの少なくとも１つに対応する第２ネットワーク・トラフィック特性を伝送するステップを含む、請求項１ないし４のいずれか１項に記載の方法。
【請求項６】
前記ユーザー機器が通知を行うことができるようにする標示を含むブロードキャストが受信された場合に前記通知するステップが実行される、請求項１ないし５のいずれか１項に記載の方法。
【請求項７】
前記第１ネットワークは、第３世代パートナーシップ・プロジェクト・ロングターム・エボリューション・ネットワークを含み、
前記第２ネットワークは、ワイヤレス・ローカル・エリア・ネットワークを含み、
前記第１ネットワーク・ノードおよび前記第２ネットワーク・ノードは、基地局に対応する、
請求項１ないし６のいずれか１項に記載の方法。
【請求項８】
装置がキャンプ・オンするネットワーク・ノードを該装置が変更したことを通知するための通知手段であって、
前記装置が第１ネットワーク・ノードへのキャンプ・オンから第２ネットワーク・ノードへのキャンプ・オンへと変更し、
前記装置は、前記第１ネットワーク・ノードおよび前記第２ネットワーク・ノードにキャンプ・オンしている間アイドル・モードにあり、
前記第１ネットワーク・ノードと前記第２ネットワーク・ノードが両方共第１ネットワークに属している、通知手段
を備える装置であって、
前記通知することは、前記装置が、第２ネットワークの第３ネットワーク・ノードに対するセッションを維持するときに、実行され、
前記通知することは、前記装置が、前記第２ネットワークの前記第３ネットワーク・ノードに対するセッションを維持していないときには、実行されない、
装置。
【請求項９】
前記第１ネットワーク・ノードおよび前記第２ネットワーク・ノードは、同じトラッキング・エリアおよび同じルーティング・エリアのうちの少なくとも１つに属している、請求項８に記載の装置。
【請求項１０】
前記通知するステップは、第１情報を前記第２ネットワーク・ノードに伝送するステップを含み、
前記第１情報は前記第３ネットワーク・ノードの識別子および不連続受信情報のうちの少なくとも１つを含む、
請求項８に記載の装置。
【請求項１１】
前記通知するステップは、さらに、第２情報を前記第２ネットワーク・ノードに伝送するステップを含み、
前記第２情報を伝送する前記ステップは、前記装置のための識別子を伝送するステップを含み、
前記装置のための前記識別子は、国際移動体加入者識別情報、グローバル一意一時識別情報、一時移動体加入者識別情報、および、前記装置のための一時的識別情報として動作する自己生成乱数のうちの少なくとも１つを含む、
請求項８ないし１０のいずれか１項に記載の装置。
【請求項１２】
前記通知するステップはさらに、過去の一定期間にわたる第２ネットワークでオフロードされたトラフィック量、アプリケーション・トラフィック・タイプ、および、アクセス・クラスのうちの少なくとも１つに対応する第２ネットワーク・トラフィック特性を伝送するステップを含む、請求項８ないし１１のいずれか１項に記載の装置。
【請求項１３】
前記装置が通知を行うことができるようにする標示を含むブロードキャストが受信された場合に、前記通知するステップが実行される、請求項８ないし１２のいずれか１項に記載の装置。
【請求項１４】
前記第１ネットワークは、第３世代パートナーシップ・プロジェクト・ロングターム・エボリューション・ネットワークを含み、
前記第２ネットワークは、ワイヤレス・ローカル・エリア・ネットワークを含み、
前記第１ネットワーク・ノードと前記第２ネットワーク・ノードは基地局に対応する、
請求項８ないし１３のいずれか１項に記載の装置。
【請求項１５】
請求項１ないし７のいずれか１項に記載の方法を実行するために、プロセッサーを制御するように構成された、コンピュータ・プログラム。
【請求項１６】
ユーザー機器がキャンプ・オンするネットワーク・ノードを該ユーザー機器が変更したことの通知を第１ネットワーク・ノードにより受信するステップであって、
前記ユーザー機器が、第２ネットワーク・ノードへのキャンプ・オンから前記第１ネットワーク・ノードへのキャンプ・オンへと変更し、
前記ユーザー機器は、前記第１ネットワーク・ノードおよび前記第２ネットワーク・ノードにキャンプ・オンしている間アイドル・モードにあり、
前記第２ネットワーク・ノードと前記第１ネットワーク・ノードが両方共
第１ネットワークに属している、ステップと、
前記第１ネットワーク・ノードにより、第２ネットワークの第３ネットワーク・ノードに対して、前記通知の情報を転送するステップと、
を含む方法。
【請求項１７】
前記通知は、トラッキング・エリア更新通知またはルーティング・エリア更新通知に関係しない、請求項１６に記載の方法。
【請求項１８】
前記第１ネットワーク・ノードにより、前記第２ネットワーク・ノードからユーザー機器コンテキスト情報をフェッチするステップをさらに含む、請求項１６または１７に記載の方法。
【請求項１９】
前記通知は第１情報を含み、
前記第１情報は、前記第３ネットワーク・ノードの識別子、および、不連続受信情報のうちの少なくとも１つを含む、
請求項１６または１８のいずれか１項に記載の方法。
【請求項２０】
前記通知は前記ユーザー機器のための識別子を含み、
前記ユーザー機器のための前記識別子は、国際移動体加入者識別情報、グローバル一意一時識別情報、一時移動体加入者識別情報、および、前記ユーザー機器のための一時的識別情報として動作する自己生成乱数のうちの少なくとも１つを含み、
前記通知は、過去の一定期間にわたる第２ネットワークでオフロードされたトラフィック量、アプリケーション・トラフィック・タイプ、および、アクセス・クラスのうちの少なくとも１つに対応する第２ネットワーク・トラフィック特性を含む、請求項１６または１９のいずれか１項に記載の方法。
【請求項２１】
前記第１ネットワークのノードに対して標示を伝送するステップであって、前記第１ネットワークの前記ノードによって前記通知の送信を可能にする、ステップをさらに含む、請求項１６または２０のいずれか１項に記載の方法。
【請求項２２】
前記第３ネットワーク・ノードに対して前記通知の情報を転送するステップは、前記第１ネットワーク・ノードの識別子、および、不連続受信情報のうちの少なくとも１つを転送するステップを含む、請求項１６または２１のいずれか１項に記載の方法。
【請求項２３】
前記第１ネットワークは、第３世代パートナーシップ・プロジェクト・ロングターム・エボリューション・ネットワークを含み、
前記第２ネットワークは、ワイヤレス・ローカル・エリア・ネットワークを含み、
前記第１ネットワーク・ノードと前記第２ネットワーク・ノードは基地局に対応する、
請求項１６または２２のいずれか１項に記載の方法。
【請求項２４】
ユーザー機器がキャンプ・オンするネットワーク・ノードを該ユーザー機器が変更したことの通知を受信するための受信手段であって、
前記ユーザー機器が、第１ネットワーク・ノードへのキャンプ・オンから装置へのキャンプ・オンへと変更し、
前記装置および前記第１ネットワーク・ノードにキャンプ・オンしている間、前記ユーザー機器は、アイドル・モードにあり、
前記第１ネットワーク・ノードと前記装置が両方共第１ネットワークに属している、
受信手段と、
第２ネットワークの第２ネットワーク・ノードに対して前記通知の情報を転送するための転送手段と、
を備える装置。
【請求項２５】
前記通知は、トラッキング・エリア更新通知またはルーティング・エリア更新通知に関係しない、請求項２４に記載の装置。
【請求項２６】
前記第１ネットワーク・ノードからユーザー機器コンテキスト情報をフェッチするためのフェッチング手段をさらに備える、請求項２４または２５に記載の装置。
【請求項２７】
前記通知は第１情報を含み、
前記第１情報は、前記第２ネットワーク・ノードの識別子、および、不連続受信情報のうちの少なくとも１つを含む、
請求項２４ないし２６のいずれか１項に記載の装置。
【請求項２８】
前記通知は前記ユーザー機器のための識別子を含み、
前記ユーザー機器のための前記識別子は、国際移動体加入者識別情報、グローバル一意一時識別情報、一時移動体加入者識別情報、および、前記ユーザー機器のための一時的識別情報として動作する自己生成乱数のうちの少なくとも１つを含み、
前記通知は、過去の一定期間にわたる第２ネットワークでオフロードされたトラフィック量、アプリケーション・トラフィック・タイプ、および、アクセス・クラスのうちの少なくとも１つに対応する第２ネットワーク・トラフィック特性を含む、
請求項２４ないし２７のいずれか１項に記載の装置。
【請求項２９】
前記第１ネットワークの前記ノードによる前記通知の送信を可能にする、標示を、前記第１ネットワークの１つのノードに対して伝送して、伝送手段をさらに備える、請求項２４ないし２８のいずれか１項に記載の装置。
【請求項３０】
前記第２ネットワーク・ノードに対して前記通知の情報を転送するステップは、前記装置の識別子および不連続受信情報のうちの少なくとも１つを転送するステップを含む、請求項２４ないし２９のいずれか１項に記載の装置。
【請求項３１】
前記第１ネットワークは、第３世代パートナーシップ・プロジェクト・ロングターム・エボリューション・ネットワークを含み、
前記第２ネットワークは、ワイヤレス・ローカル・エリア・ネットワークを含み、
前記装置と前記第１ネットワーク・ノードは基地局に対応する、請求項２４ないし３０のいずれか１項に記載の装置。
【請求項３２】
請求項１６ないし２３のいずれか１項に記載の方法を実行するために、プロセッサーを制御するように構成された、コンピュータ・プログラム。
【請求項３３】
第１装置がキャンプ・オンするネットワーク・ノードを該第１装置が変更したことを通知するための通知手段であって、
前記第１装置が、第１ネットワーク・ノードへのキャンプ・オンから第２装置へのキャンプ・オンへと変更し、
前記第１装置は、前記第１ネットワーク・ノードおよび前記第２装置にキャンプ・オンしている間アイドル・モードにあり、
前記第１ネットワーク・ノードと前記第２装置が両方共第１ネットワークに属している、通知手段を備える第１装置であって、
前記第１装置が、第２ネットワークの第２ネットワーク・ノードに対するセッションを維持するときに、前記通知するステップが実行され、
前記第１装置が、前記第２ネットワークの前記第２ネットワーク・ノードに対するセッションを維持していないときには前記通知するステップは実行されない、
第１装置と、
前記第１装置がキャンプ・オンしているネットワーク・ノードを該第１装置が変更したことの前記通知を受信するための受信手段と、
前記第２ネットワークの前記第２ネットワーク・ノードに対して前記通知の情報を転送するための転送手段と、
を備えた第２装置と、
を備えるシステム。
【発明の詳細な説明】
【技術分野】
【０００１】
本発明の実施形態は、アイドル・デバイスのトラッキングに関する。
【背景技術】
【０００２】
ロング・ターム・エボリューション（ＬＴＥ）は、新しい変調／信号処理技術を用いることによって無線通信の速度および容量の改善を提供することを追究する無線通信のための規格である。この規格は、第３世代パートナーシップ・プロジェクト（３ＧＰＰ）によって提案されたものであり、従来のネットワーク技術に基づく。そのサービス開始以降、ＬＴＥは、データ通信が関与する多様な状況において広範に配備されてきた。
【発明の概要】
【０００３】
第１の実施形態によると、方法は、ユーザー機器がキャンプ・オンするネットワーク・ノードを該ユーザー機器が変更したことを該ユーザー機器により通知するステップを含むことができる。ユーザー機器は、第１のネットワーク・ノードへのキャンプ・オンから第２のネットワーク・ノードへのキャンプ・オンへと変更することができる。ユーザー機器は、第１および第２のネットワーク・ノードにキャンプ・オンしている間アイドル・モードにあることができる。第１のネットワーク・ノードと第２のネットワーク・ノードは、両方共第１のネットワークに属することができる。通知ステップは、ユーザー機器が第２のネットワークの第３のネットワーク・ノードに対するセッションを維持するときに行われることができる。通知ステップは、ユーザー機器が第２のネットワークの第３のネットワーク・ノードに対するセッションを維持していないときには行われない可能性がある。
【０００４】
第１の実施形態の方法において、第１および第２のネットワーク・ノードは、同じトラッキング・エリアおよび同じルーティング・エリアのうちの少なくとも一方に属している。
【０００５】
第１の実施形態の方法において、セッションは、無線ローカル・エリア・ネットワーク・アクセス・ポイントに対するアクティブ接続を含むことができる。
【０００６】
第１の実施形態の方法において、通知ステップは、第１の情報を第２のネットワーク・ノードに伝送するステップを含むことができる。第１の情報は第３のネットワーク・ノードの識別子および不連続受信情報のうちの少なくとも一方を含むことができる。
【０００７】
第１の実施形態の方法において、通知ステップは、ステータス更新メッセージを伝送するステップを含むことができる。
【０００８】
第１の実施形態の方法において、通知ステップは、さらに、第２の情報を第２のネットワーク・ノードに伝送するステップを含むことができる。第２の情報を伝送するステップは、ユーザー機器のための識別子を伝送するステップを含むことができる。ユーザー機器のための識別子は、
国際移動体加入者識別情報（IMSI：International Mobile Subscriber Identity）、グローバル一意一時識別情報（GUTI：Globally Unique Temporary Identity）、一時移動体加入者識別情報（TMSI：Temporary Mobile Subscriber Identity）、およびユーザー機器のための一時的識別情報として動作する自己生成乱数のうちの少なくとも１つを含むことができる。
【０００９】
第１の実施形態の方法において、通知ステップは、過去の一定期間にわたる第２のネットワークでオフロードされたトラフィック量、アプリケーション・トラフィック・タイプおよびアクセス・クラスのうちの少なくとも１つに対応する第２のネットワークトラフィック特性を伝送するステップを含むことができる。
【００１０】
第１の実施形態の方法において、通知ステップは、ユーザー機器が通知を行うことができるようにする標示を含むブロードキャストが受信された場合に、行われることができる。
【００１１】
第１の実施形態の方法において、第１のネットワークは、第３世代パートナーシップ・プロジェクト・ロングターム・エボリューション・ネットワークを含むことができる。
【００１２】
第１の実施形態の方法において、第２のネットワークは、ワイヤレス・ローカル・エリア・ネットワークを含むことができる。
【００１３】
第１の実施形態の方法において、第１のネットワーク・ノードと第２のネットワーク・ノードは基地局に対応することができる。
【００１４】
第２の実施形態によると、装置は、キャンプ・オンするネットワーク・ノードを該装置が変更したことを通知するための通知手段を含むことができる。装置は、第１のネットワーク・ノードへのキャンプ・オンから第２のネットワーク・ノードへのキャンプ・オンへと変更することができる。装置は、第１および第２のネットワーク・ノードにキャンプ・オンしている間アイドル・モードにあることができる。第１のネットワーク・ノードと第２のネットワーク・ノードは両方共第１のネットワークに属することができる。通知ステップは、装置が第２のネットワークの第３のネットワーク・ノードに対するセッションを維持するときに行われることができる。通知ステップは、装置が第２のネットワークの第３のネットワーク・ノードに対するセッションを維持していないときには行われない可能性がある。
【００１５】
第２の実施形態の装置において、第１および第２のネットワーク・ノードは、同じトラッキング・エリアおよび同じルーティング・エリアのうちの少なくとも一方に属することができる。
【００１６】
第２の実施形態の装置において、セッションは、無線ローカル・エリア・ネットワーク・アクセス・ポイントに対するアクティブ接続を含むことができる。
【００１７】
第２の実施形態の装置において、通知ステップは、第１の情報を第２のネットワーク・ノードに伝送するステップを含むことができる。第１の情報は第３のネットワーク・ノードの識別子および不連続受信情報のうちの少なくとも一方を含むことができる。
【００１８】
第２の実施形態の装置において、通知ステップは、ステータス更新メッセージを伝送するステップを含むことができる。
【００１９】
第２の実施形態の装置において、通知ステップは、第２の情報を第２のネットワーク・ノードに伝送するステップを含むことができる。第２の情報を伝送するステップは、装置のための識別子を伝送するステップを含むことができる。装置のための識別子は、国際移動体加入者識別情報、グローバル一意一時識別情報、一時移動体加入者識別情報および装置のための一時的識別情報として動作する自己生成乱数のうちの少なくとも１つを含むことができる。
【００２０】
第２の実施形態の装置において、通知ステップはさらに、過去の一定期間にわたる第２のネットワークでオフロードされたトラフィック量、アプリケーション・トラフィック・タイプおよびアクセス・クラスのうちの少なくとも１つに対応する第２のネットワークトラフィック特性を伝送するステップを含むことができる。
【００２１】
第２の実施形態の装置において、通知ステップは、装置が通知を行うことができるようにする標示を含むブロードキャストが受信された場合に、行われることができる。
【００２２】
第２の実施形態の装置において、第１のネットワークは、第３世代パートナーシップ・プロジェクト・ロングターム・エボリューション・ネットワークを含むことができる。
【００２３】
第２の実施形態の装置において、第２のネットワークは、ワイヤレス・ローカル・エリア・ネットワークを含むことができる。
【００２４】
第２の実施形態の装置において、第１のネットワーク・ノードと第２のネットワーク・ノードは基地局に対応することができる。
【００２５】
第３の実施形態によると、コンピュータ・プログラム・プロダクトは、非一時的コンピュータ可読媒体上で具体化されることができる。第１の実施形態の方法を行うためにプロセッサーを制御するように構成されることができる。
【００２６】
第４の実施形態によると、方法は、ユーザー機器がキャンプ・オンするネットワーク・ノードを該ユーザー機器が変更したことの通知を第１のネットワーク・ノードにより受信するステップを含むことができる。ユーザー機器は、第２のネットワーク・ノードへのキャンプ・オンから第１のネットワーク・ノードへのキャンプ・オンへと変更することができる。ユーザー機器は、第１および第２のネットワーク・ノードにキャンプ・オンしている間アイドル・モードにあることができる。第２のネットワーク・ノードと第１のネットワーク・ノードは、両方共第１のネットワークに属することができる。この方法は同様に、第２のネットワークの第３のネットワーク・ノードに対して通知の情報を転送するステップも含むことができる。
【００２７】
第４の実施形態の方法において、通知は、トラッキング・エリア更新通知またはルーティング・エリア更新通知に関係しないことが可能である。
【００２８】
第４の実施形態の方法において、この方法は同様に、第２のネットワーク・ノードからユーザー機器コンテキスト情報をフェッチするステップをさらに含むこともできる。
【００２９】
第４の実施形態の方法において、通知は第１の情報を含むことができる。第１の情報は第３のネットワーク・ノードの識別子と不連続受信情報のうちの少なくとも一方を含むことができる。
【００３０】
第４の実施形態の方法において、通知は、ステータス更新メッセージを含むことができる。
【００３１】
第４の実施形態の方法において、通知は、ユーザー機器のための識別子を含むことができる。ユーザー機器のための識別子は、国際移動体加入者識別情報、グローバル一意一時識別情報、一時移動体加入者識別情報およびユーザー機器のための一時的識別情報として動作する自己生成乱数のうちの少なくとも１つを含むことができる。
【００３２】
第４の実施形態の方法において、通知は、過去の一定期間にわたる第２のネットワークでオフロードされたトラフィック量、アプリケーション・トラフィック・タイプおよびアクセス・クラスのうちの少なくとも１つに対応する第２のネットワークトラフィック特性を含むことができる。
【００３３】
第４の実施形態の方法において、この方法は、第１のネットワークの１つのノードに対して標示を伝送して、第１のネットワークのノードによる通知の送信を可能にするステップをさらに含むことができる。
【００３４】
第４の実施形態の方法において、第３のネットワーク・ノードに対して通知の方法を転送するステップは、無線ローカル・エリア・ネットワーク・アクセス・ポイントに対して情報を転送するステップを含むことができる。
【００３５】
第４の実施形態の方法において、第３のネットワーク・ノードに対して通知の方法を転送するステップは、第１のネットワーク・ノードの識別子および不連続受信情報のうちの少なくとも一方を転送するステップを含むことができる。
【００３６】
第４の実施形態の方法において、第１のネットワークは、第３世代パートナーシップ・プロジェクト・ロングターム・エボリューション・ネットワークを含むことができる。
【００３７】
第４の実施形態の方法において、第２のネットワークは、ワイヤレス・ローカル・エリア・ネットワークを含むことができる。
【００３８】
第４の実施形態の方法において、第１のネットワーク・ノードと第２のネットワーク・ノードは基地局に対応することができる。
【００３９】
第５の実施形態によると、装置は、ユーザー機器がキャンプ・オンするネットワーク・ノードを該ユーザー機器が変更したことの通知を第１のネットワーク・ノードにより受信するための受信手段を備えることができる。ユーザー機器は、第１のネットワーク・ノードへのキャンプ・オンから装置へのキャンプ・オンへと変更することができる。ユーザー機器は、装置および第１のネットワーク・ノードにキャンプ・オンしている間アイドル・モードにあることができる。第１のネットワーク・ノードと装置は、両方共第１のネットワークに属することができる。装置は同様に、第２のネットワークの第２のネットワーク・ノードに対して通知の情報を転送するための転送手段を備えることができる。
【００４０】
第５の実施形態の装置において、通知は、トラッキング・エリア更新通知またはルーティング・エリア更新通知に関係しないことが可能である。
【００４１】
第５の実施形態の装置において、装置は、第１のネットワーク・ノードからユーザー機器コンテキスト情報をフェッチするためのフェッチング手段も備えることができる。
【００４２】
第５の実施形態の装置において、通知は第１の情報を含むことができる。第１の情報は第２のネットワーク・ノードの識別子と不連続受信情報のうちの少なくとも一方を含むことができる。
【００４３】
第５の実施形態の装置において、通知は、ステータス更新メッセージを含むことができる。
【００４４】
第５の実施形態の装置において、通知は、ステータス更新メッセージを含むことができる。
【００４５】
第５の実施形態の装置において、通知はユーザー機器のための識別子を含むことができる。ユーザー機器のための識別子は、国際移動体加入者識別情報、グローバル一意一時識別情報、一時移動体加入者識別情報およびユーザー機器のための一時的識別情報として動作する自己生成乱数のうちの少なくとも１つを含むことができる。
【００４６】
第５の実施形態の装置において、通知は、過去の一定期間にわたる第２のネットワークでオフロードされたトラフィック量、アプリケーション・トラフィック・タイプおよびアクセス・クラスのうちの少なくとも１つに対応する第２のネットワークトラフィック特性を含むことができる。
【００４７】
第５の実施形態の装置において、この装置は、第１のネットワークの１つのノードに対して標示を伝送して、第１のネットワークのノードによる通知の送信を可能にするための伝送手段をさらに備えることができる。
【００４８】
第５の実施形態の装置において、第２のネットワーク・ノードに対して通知の方法を転送ステップは、無線ローカル・エリア・ネットワーク・アクセス・ポイントに対して情報を転送するステップを含むことができる。
【００４９】
第５の実施形態の装置において、第２のネットワーク・ノードに対して通知の方法を転送するステップは、装置の識別子および不連続受信情報のうちの少なくとも一方を転送するステップを含むことができる。
【００５０】
第５の実施形態の装置において、第１のネットワークは、第３世代パートナーシップ・プロジェクト・ロングターム・エボリューション・ネットワークを含むことができる。
【００５１】
第５の実施形態の装置において、第２のネットワークは、ワイヤレス・ローカル・エリア・ネットワークを含むことができる。
【００５２】
第５の実施形態の装置において、装置と第１のネットワーク・ノードは基地局に対応することができる。
【００５３】
第６の実施形態によると、コンピュータ・プログラム・プロダクトは、非一時的コンピュータ可読媒体上で具体化されることができる。コンピュータ・プログラム・プロダクトは、第４の実施形態の方法を行うためにプロセッサーを制御するように構成されることができる。
【００５４】
第７の実施形態によると、システムは、第１の装置を含むことができる。この第１の装置は、キャンプ・オンするネットワーク・ノードを該第１の装置が変更したことを通知するための通知手段を含むことができる。第１の装置は、第１のネットワーク・ノードへのキャンプ・オンから第２の装置へのキャンプ・オンへと変更することができ、第１の装置は、第１のネットワーク・ノードおよび第２装置にキャンプ・オンしている間アイドル・モードにあることができ、第２の情報と第1のネットワーク・ノードと第２の装置は両方共第１のネットワークに属することができる。通知ステップは、第１の装置が第２のネットワークの第２のネットワーク・ノードに対するセッションを維持するときに行うことができる。通知ステップは、第１の装置が第２のネットワークの第２のネットワーク・ノードに対するセッションを維持していないときには行われない可能性がある。システムは、第２の装置を含むことができる。この第２の装置は、第１の装置がキャンプ・オンするネットワーク・ノードを該第１の装置が変更したことの通知を受信するための受信手段を備えることができる。第２のネットワークの第２のネットワーク・ノードに対して通知の情報を転送するための転送手段を備えることができる。
【００５５】
第８の実施形態によると、装置は少なくとも１つのプロセッサーおよびコンピュータ・プログラム・コードを含む少なくとも１つのメモリを備えることができる。少なくとも１つのメモリおよびコンピュータ・プログラム・コードは、少なくとも１つのプロセッサーを用いて、装置に少なくとも、この装置がキャンプ・オンするネットワーク・ノードをこの装置が変更したことを通知させるように構成されることができ、装置は、第１のネットワーク・ノードへのキャンプ・オンから第２のネットワーク・ノードへのキャンプ・オンへと変更することができ、装置は、第１および第２のネットワーク・ノードにキャンプ・オンしている間アイドル・モードにあることができ、第１のネットワーク・ノードと第２のネットワーク・ノードは両方共第１のネットワークに属することができる。通知ステップは、装置が第２のネットワークの第３のネットワーク・ノードに対するセッションを維持するときに行われることができる。通知ステップは、装置が第２のネットワークの第３のネットワークに対するセッションを維持していないときには行われない可能性がある。
【００５６】
第９の実施形態によると、装置は少なくとも１つのプロセッサーおよびコンピュータ・プログラム・コードを含む少なくとも１つのメモリを備えることができる。少なくとも１つのメモリおよびコンピュータ・プログラム・コードは、少なくとも１つのプロセッサーを用いて、装置に少なくとも、ユーザー機器がキャンプ・オンするネットワーク・ノードをこのユーザー機器が変更したことの通知を受信させるように構成されることができる。ユーザー機器は、第１のネットワーク・ノードへのキャンプ・オンから装置へのキャンプ・オンへと変更することができる。ユーザー機器は、装置および第１のネットワーク・ノードにキャンプ・オンしている間アイドル・モードにあることができる。第１のネットワーク・ノードと装置は両方共第１のネットワークに属することができる。同様に、装置に、第２のネットワークの第２のネットワーク・ノードに対して通知の情報を転送させることもできる。
【００５７】
本発明を適正に理解するため、添付図面の参照を指示すべきである。
【図面の簡単な説明】
【００５８】
【図１ａ】ｉｄｌｅ−ＵＥ−ｅｎＢ更新を行う１つの例示的実施形態を示す。
【図１ｂ】ｉｄｌｅ−ＵＥ−ｅＮＢ更新を行う別の例示的実施形態を示す。
【図２】公知のユーザー機器（ＵＥ）識別子を含むステータス更新を送信する１つの実施例を示す。
【図３】本発明の一実施形態に係る、ＵＥがＷＬＡＮ接続性を有することをＵＥがｅＮＢに知らせている状態を例示する。
【図４】１つの実施形態に係るオフローディングの実行を例示する。
【図５】１つの実施形態に係る、アイドル・モードにおける進化型ノードＢ（ｅＮＢ）の変更を例示する。
【図６】一実施形態に係る、アイドル・モードにおけるアクセス・ポイント変更を例示する。
【図７】本発明の実施形態に係る方法の流れ図を例示する。
【図８】本発明の実施形態に係る装置を例示する。
【図９】本発明の実施形態に係る装置を例示する。
【図１０】本発明の実施形態に係る方法を例示する。
【図１１】本発明の実施形態に係る装置を例示する。
【図１２】本発明の実施形態に係る装置を例示する。
【図１３】本発明の実施形態に係る装置を例示する。
【図１４】本発明の実施形態に係るシステムを例示する。
【発明を実施するための形態】
【００５９】
本発明のいくつかの実施形態は、アイドル・デバイスのトラッキングに関する。本発明のいくつかの実施形態は、接続モードにあるデバイスのトラッキングに関係する可能性がある。本発明の実施形態は、異なる技術を含む２つのネットワーク間、具体的には３ＧＰＰ技術と無線ローカル・エリア・ネットワーク（ＷＬＡＮ）技術の間のインターワーキングに関係する可能性がある。３ＧＰＰは、ＬＴＥなどの規格化された移動体無線アクセス技術を有し、一方、ＷＬＡＮ移動体無線アクセス技術はＩＥＥＥ規格８０２．１１に基づいている。現在、多くのユーザー機器（ＵＥ）は、３ＧＰＰケイパビリティとＷＬＡＮケイパビリティの両方を備えている。換言すると、多くのＵＥは、少なくとも１つの３ＧＰＰ無線アクセス技術ならびにＷＬＡＮ無線インターフェースを備えている。近年、事業者は、ＷＬＡＮアクセス・ポイントの配備を開始し、オペレータ達は、ＷＬＡＮと３ＧＰＰネットワーク間のより良好な協調を達成しようとしている。
【００６０】
本発明の実施形態は、ＵＥがアイドル・モードにあり、３ＧＰＰノードに登録され、ＷＬＡＮ接続を有する一方で、移動中に、（ＷＬＡＮおよび３ＧＰＰ  ＲＡＮノードなどの）ネットワーク・ノードのアドレッシング情報またはルーティング情報の更新を行う。以下でさらに詳述するように、ＵＥデバイスを、ネットワークにアタッチし、接続し、および／またはキャンプ・オンすることができる。「アタッチする」とは概して、デバイスが自らをＥＰＣ（パケット・コア・ネットワーク）に登録していることを意味する。ＥＰＣは概して、ＥＰＣとのアクティブ接続が無い場合、ページングを介してアタッチされたデバイスに到達することができる。接続が存在する（すなわち「アクティブ」モード）かまたは接続が存在しない（すなわち「アイドル」モード）かは、アタッチ状態にとっては重要でない。「接続する」とは、概して、デバイスがＲＡＮ接続およびいくつかの専用チャネルを有することを意味する。両方共、直ちに互いに送信し合うことができる。「接続された」とは、概して、「アクティブ」モードに対応する。「キャンプする」とは、概して、デバイスがＲＡＮとの接続を有しておらず（デバイスは「アイドル」モードにある）、単に、デバイスがキャンプ・オンしているセルからのブロードキャストを聴いているだけであることを意味する。
【００６１】
本発明の実施形態は、ＵＥがアイドル・モードにある間、３ＧＰＰ  ＲＡＮに登録されている間、および移動している間、どのＷＬＡＮアクセス・ポイント（ＷＬＡＮ  ＡＰｓ）が特定の３ＧＰＰ  ＲＡＮノードのカバレッジ・エリア内にあるかを自動的に決定することに関係することができる。このプロセスは、自動隣接関係（ＡＮＲ）とも呼ばれる。３ＧＰＰ  ＲＡＮノードの一例は、ＬＴＥとの関係におけるｅＮＢであることができる。ＷＬＡＮに全トラフィックをオフロードしたＵＥまたは全く３ＧＰＰセッション無しでＷＬＡＮ内で直接新しいセッションを開始したＵＥは、３ＧＰＰ内においてアイドル・モードにあるとみなされる。ＵＥは、３ＧＰＰ内にベアラー／セッションが存在しない場合、アイドルへと移行させられる可能性がある。
【００６２】
ＷＬＡＮ  ＡＰを用いてセッションを維持または開始するＵＥは、このセッションを使用するＷＬＡＮ  ＡＰとＵＥとの間を流れるトラフィックが存在できる場合、ＷＬＡＮ  ＡＰと結び付けられたＵＥとして解釈可能である。セッションは、オフローディング・セッションであることができ、トラフィックは、ＵＥからＷＬＡＮまで伝送されるオフロードされたトラフィックであることができる。
【００６３】
３ＧＰＰネットワークからＷＬＡＮへのトラフィックの移行は、「オフローディング」として言及されるプロセスである。反対に、「オンローディング」は、ＷＬＡＮから３ＧＰＰへのＵＥのトラフィックの移行プロセスを意味する。ＵＥがオフローディングを行うとき、３ＧＰＰネットワークは、オフローディング・プロセスを認識していない可能性がある。ＵＥが３ＧＰＰアイドル・モードにあるか３ＧＰＰ接続モードにあるかとは無関係に、現行の３ＧＰＰネットワークは、ＵＥが、そのトラフィックのいくつかまたは全てをＷＬＡＮにオフロードしているか否かを知ることができない可能性がある。
【００６４】
以前のアプローチには、いくつかの問題点がある。例えば、以前のアプローチでは、ＵＥが、アイドル・モードで３ＧＰＰ  ＲＡＮに登録されるとき、ＵＥによるｅＮＢ接続性の変更（１つのｅＮＢから別のｅＮＢへ）は、全てのシナリオの下でＵＥによりネットワークにレポートされない可能性がある。詳細には、ＵＥによるｅＮＢの変更は、新しいｅＮＢが古いｅＮＢと同じトラッキング・エリア内にある場合、ネットワークにレポートされない可能性がある。トラッキング・エリアが変更された場合でも、新規ｅＮＢにおけるＴｒａｃｋｉｎｇ  Ａｒｅａ  Ｉｎｄｅｘ（ＴＡＩ）（トラッキング・エリア・インデックス）がＭＭＥによってＵＥに対し割当てられたＴＡＩリスト中に含まれている場合、この変更はネットワークにレポートされない。ＴＡＩリストは、トラッキング・エリア更新プロシージャを実行することなくＵＥが入ることのできるトラッキング・エリアを識別できる。したがって、ＷＬＡＮアクセス・ポイント（ＡＰ）は、概して、使用された接続されたｅＮＢに関する更新済みの情報を有していない。さらに、新しいｅＮＢは概して、ＵＥがＡＰを変更するとき、ＷＬＡＮ  ＡＰ情報（古いＡＰ情報も新しいＡＰ情報も）を有さない。新しいｅＮＢはＡＰ情報を有していないことから、あるＵＥのために３ＧＰＰに対するトラフィックのオンローディングを実行することは不可能であり得る。現在、ＷＬＡＮに対しオフロードされる全トラフィックに関して、サービス提供する３ＧＰＰ  ＲＡＮノードにフィードバックが提供されることはない。３ＧＰＰ  ＲＡＮには、これらのＵＥの可視性が全く無い可能性がある。同じことは、アイドル中にセル再選択を行ないＷＬＡＮ内にトラフィックを有するＵＥについても言える。
【００６５】
さらに、以前のアプローチでは、ＷＬＡＮに対するトラフィックオフロード総量に関するフィードバックがサービス提供するＲＡＮノードに全く提供されないことから、サービス提供するＲＡＮノードには、アイドル・モードＵＥの可視性が全く無い。サービス提供するＲＡＮノードには同様に、３ＧＰＰ中でアイドル状態にある間にセル再選択を行ない、ＷＬＡＮ中にトラフィックを有するＵＥの可視性が全く無い可能性がある。以下でさらに詳述するように、そのトラフィック全てをＷＬＡＮにオフロードさせた、またはＷＬＡＮ内で直接新しいセッションを開始したＵＥは、３ＧＰＰ内でアイドル状態にあるとみなすことができる。
【００６６】
ＲＡＮ援用ＷＬＡＮインターワーキングによると、ＲＡＮノードは、例えばシステム情報ブロック１７により伝送される情報によって、アイドル状態のＵＥのオンロードをトリガーすることができる。全てのアイドル状態のＵＥがこの情報を読むことができることから、アイドル状態のＵＥの数および閾値の設定により、ＲＡＮノードの将来の負荷を決定することができるが、ＲＡＮノードは、ＲＡＮノードのセルにキャンプ・オンするアイドル・モードのＵＥについておよびこれらのＵＥからオンロードできるトラフィックの量について認識していない可能性があるため、この将来の負荷についての手掛りを全くもたない。
【００６７】
したがって、アイドル状態のＵＥが、サービス提供するＲＡＮノードに対し自らの存在の標示を提供することが望ましい場合がある。そうでなければ、アイドル状態のＵＥは概して、そのキャンピング・セルには見えない。このような標示は、同様に、オフロードされたトラフィックに関係する情報も含むことができる。
【００６８】
以前のアプローチをさらに説明すると、ネットワークに基づくＡＮＲにおいて、ＵＥは概して、１つのｅＮＢに対するサービス提供する接続を有するものと仮定される。そうでなければ、ＵＥがｅＮＢに対するサービス提供接続を有していない場合、いかなる隣接関係も確立できない。
【００６９】
以前のアプローチでは、コア・ネットワーク・ノード、例えば移動管理エンティティ（ＭＭＥ）、パケット・データ・ネットワーク（ＰＤＮ）ゲートウェイ（Ｐ−ＧＷ）、またはｅＮＢが、ＷＬＡＮ認証サーバーと共にＡＮＲマッピングを行うことができる。同様に、以前のアプローチでは、たとえＭＭＥがアイドル状態のＵＥを認識することができたとしても、本発明の実施形態の機能性を達成することはできない。以前のアプローチは、ＵＥのアイドル状態移動度の間、ＭＭＥにはＵＥがトラッキング・エリア更新（ＴＡＵ）を発出したときにだけＵＥのアイドル状態についての情報が提供されることから、本発明の実施形態の機能性を達成するものではない。しかしながら、ＵＥが例えば同じトラッキング・エリアに属するｅＮＢ間で移動する場合、このＵＥはＴＡＵを発出しない。
【００７０】
さらに、以前のアプローチは、マップの作成に向けられている。しかしながら、以前のアプローチでは、ＵＥの連続トラッキングおよびレポートは不可能である。したがって、以前のアプローチによると。マッピングは、ある時間にしか実行されない。しかしながら、同じＡＰのＵＥが異なるｅＮＢに接続／キャンピングされている可能性があるため、アイドル状態のＵＥに到達するためには、（ｅＮＢのカバレッジ内での）アイドル状態のＵＥの存在をつねに知っている必要がある場合がある。したがって、正確なＵＥ−ｅＮＢマッピングが必要となる可能性がある。
【００７１】
別の以前のアプローチにおいては、ＲＡＮノードＩｄを含む識別子が、ＲＡＮまたは非アクセス層（ＮＡＳ）内でいくつかの要素により生成され、ＵＥに通信される。しかしながら、識別子を生成することでは、ＷＬＡＮ接続のセットアップ中にＵＥの存在を標示するという問題に部分的に対処できるにすぎない。この以前のアプローチでは、後続するアイドル・モードでの移動を処理することは不可能であり得る。
【００７２】
ＴＡＵは、いつＵＥが新しいトラッキング・エリアまで移動してきたかについての情報をＭＭＥに提供できる。本発明の実施形態では、ＵＥシグナリングをｅＮＢで終結させることができ、ＵＥも同様にＷＬＡＮ接続性を有する場合にのみ更新を送ることができる。
【００７３】
本発明のある実施形態においては、ＷＬＡＮと３ＧＰＰ  ＲＡＮの間にダイレクト・インターフェースが存在できる。ダイレクト・インターフェースは、例えばｅＮＢが情報を検索できるようにする可能性がある。検索された情報は、スループットおよび他のトラフィック・パラメータを含むことができる。本発明の一部の実施形態において、ＵＥは、無線リソース制御アイドル（ＲＲＣ−ｉｄｌｅ）モードにあることができる。３ＧＰＰリリース１２インターワーキングは、ネットワークおよびＵＥの両方によりサポート可能である。
【００７４】
本発明の実施形態は、アイドル・モード移動中に、ｅＮＢアドレッシング情報をＷＬＡＮ  ＡＰに、ＷＬＡＮ  ＡＰ／ＡＣアドレッシング情報をｅＮＢに維持することができる。本発明の実施形態は、ＵＥがアイドル・モードで３ＧＰＰに登録されたとき、自動隣接関係（ＡＮＲ）を確立するという原則に基づくことができる。本発明の実施形態は、ＲＡＮ−ＷＬＡＮダイレクト・インターフェースを使用できる。
【００７５】
本発明の実施形態は、ＵＥが接続モードでも３ＧＰＰに登録されている場合に移動中にＡＮＲを維持するために使用可能である。本発明の実施形態は、移動中に、ＷＬＡＮ  ＡＰ／ＡＣでｅＮＢアドレッシング情報を確立しｅＮＢでＷＬＡＮ  ＡＰ／ＡＣアドレッシング情報を確立するために、ＲＡＮ−ＷＬＡＮダイレクト・インターフェースを使用することができる。
【００７６】
図１ａは、ｉｄｌｅ−ＵＥ−ｅＮＢ更新を実行する１つの例示的実施形態を示す。図１ａにより示されているように、ＵＥ１１０は、ｅＮＢステータス更新１２０を送信できる。一部の実施形態において、ステータス更新は全く情報を含まないことができる。ステータス更新が情報を全く含まない場合には、ＵＥ１１０はＷＬＡＮトラフィックを有することが暗示的に分かる可能性がある。ｅＮＢ１３０はＵＥ１１０のＩＤを知らない場合がある。
【００７７】
図１ｂは、ｉｄｌｅ−ＵＥ−ｅＮＢ更新を実行する別の例示的実施形態を示す。この実施形態において、ＵＥは、地上波公共移動通信ネットワーク（ＰＬＭＮ）全体またはそのサブパーツ（例えばＩＭＳＩ、ＧＵＴＩまたはＴＭＳＩ）の内部で一意的であるＵＥ識別子を提供していない。ｅＮＢは、Ｅ−ＵＴＲＡＮのランダム・アクセス・プロシージャの図１ｂのメッセージ２中でセル無線ネットワーク一時識別子（Ｃ−ＲＮＴＩ）を割当てることができる。ＵＥ１１０は、図１ｂのランダム・アクセス・プロシージャのメッセージ３により示されているように、新しいｅＮＢステータス更新メッセージを介して自らを告知する上での識別のために、このＣ−ＲＮＴＩを使用する。Ｃ−ＲＮＴＩは、ランダム・アクセス・プロシージャの競合解除メッセージ４に基づいてｅＮＢ１３０のセルにキャンピングしている間、ＵＥ１１０のための永久的識別情報となることができる。Ｃ−ＲＮＴＩは、セルの内部でのみ一意的であることができる。このことのもつ利点は、それがＵＥ１１０の存在をｅＮＢ１３０に告知するための単純なソリューションであるという点にある。別の利点は、エア・インターフェース上での安全でない通信上で、Ｃ−ＲＮＴＩを容易に転送できることにある。Ｃ−ＲＮＴＩは、全ての新規告示においてｅＮＢにより新たに割当てられることから、アイドル・モード移動中のＵＥ１１０の動きをトラッキングすることは不可能である場合がある。Ｃ−ＲＮＴＩをｅＮＢ１３０が記憶することができ、後日、必要なときにｅＮＢ１３０がこれを使用することができる。例えば、ｅＮＢ１３０は、ＵＥ１１０に対しページング・メッセージを送信したい場合、このＣ−ＲＮＴＩをページング記録内部にページング識別情報として使用することができる。ＵＥ１１０が同じｅＮＢに属する任意のセルにキャンプ・オンしている間、セルが変化する毎にｅＮＢステータス更新を実行する必要性を回避するため、ｅＮＢ１３０は同様に、ランダム・アクセス・プロシージャの競合解除メッセージ４内のｅＮＢのこれらの他のセル内にキャンピングしている間有効である対応するセル特定的Ｃ−ＲＮＴＩを提供することもできる。このとき、ＵＥ１１０は、ｅＮＢ１１０の特定のセルにキャンプ・オンしている間どのＣ−ＲＮＴＩが有効であるかを知る。
【００７８】
セル特定的Ｃ−ＲＮＴＩを使用する代りに、別の例示的実施形態において、ｅＮＢ１３０は、例えば新規ノードＲＮＴＩ（Ｎ−ＲＮＴＩ）など、ｅＮＢ１３０の制御下にあるセルのいずれかの中にキャンピングしている間のＵＥ１１０の一意的識別情報である識別情報を割当てることができる。
【００７９】
図２は、知られているＵＥ識別子を含むステータス更新を送信する１つの実施例を示す。本発明の一部の実施形態において、ステータス更新メッセージ２５０は、地上波公共移動通信ネットワーク（ＰＬＭＮ）全体またはそのサブパーツ（例えばＩＭＳＩ、ＧＵＴＩまたはＴＭＳＩ）の内部で一意的であるＵＥ識別子を含むことができる。ＳＡＥ一時的移動体加入者識別情報（Ｓ−ＴＭＳＩ）は、ＬＴＥ内のページング用に使用可能である。図２は、ＵＥ２１０を識別する既知のＵＥ識別子を含むステータス更新２５０の伝送ステップを例示する。この実施形態では、ＵＥ２１０がＷＬＡＮトラフィックを有することは暗黙のことである。ｅＮＢ２２０は、例えばＭＭＥ２３０からＵＥページング・パラメータを取得する必要がある場合がある。
【００８０】
図２により例示されている実施形態の識別情報を使用する代りに、ＵＥは、一時ＩＤとして自己生成乱数も使用できる。ＵＥは、全てのｅＮＢにおいて異なる一時ＩＤを使用することができる。全てのｅＮＢにおいて異なる一時ＩＤを使用することには、複数のｅＮＢにわたるＵＥの動きをトラッキングすることに関してより高いセキュリティを提供するというメリットがある。複数のｅＮＢにわたるＵＥの動きのトラッキングは、ｅＮＢに対するＵＥの安全でないメッセージングを聴くことにより達成可能である。
【００８１】
本発明の一部の実施形態において、ＵＥが不連続受信（ＤＲＸ）用に構成されている場合、ＵＥは、同様に、そのＤＲＸ構成をＲＡＮノードに伝送することもできる。このＤＲＸ情報に基づいて、ＲＡＮ  Ｎｏｄｅは次に、オンローディングを行うことができるように、可能性あるページング用のＵＥを識別することができる。ＵＥからＲＡＮ  Ｎｏｄｅ／ｅＮＢに対して伝送される告知メッセージの中にページング情報を内含させることにより、本発明の実施形態は、コアネットワークからその情報を問い合わせる必要無く、ｅＮＢによりページングを開始させることができるようにするというメリットを提供できる。ＵＥは同様に、ｅＮＢに対するさらなる情報、例えば、過ぎた期間全体にわたりＵＥがオフロードしたＷＬＡＮトラフィックの量を標示する情報などを中継することもできる。さらなる情報は、同様に、ＵＥにおいて利用可能である他のコンテキスト情報も含むことができる。この他のコンテキスト情報を使用して、ＷＬＡＮトラフィックを３ＧＰＰに戻す（オンロードする）べきか否かに関するｅＮＢの決断を改善することができる。
【００８２】
図３は、ＵＥが本発明の一実施形態に係るＷＬＡＮ接続性を有することをＵＥがｅＮＢに知らせている状態を例示している。一実施形態において、ＵＥ３１０は、ｅＮＢ３２０に対してメッセージ３３０を伝送することができる。メッセージ３３０は、ＵＥ３１０が先にキャンプ・オンしていたＲＡＮノードについての識別情報、例えばｅＮＢ  ＩＤを含むことができる。先行するｅＮＢ３４０における告知のために使用されたＵＥ  ＩＤが現在の告知のために使用されているＵＥ  ＩＤと異なる場合には、この先行するＵＥ  ＩＤも同様に現在の告知と共に提供することができる。この情報の提供は、（ＵＥが新たにキャンピングを告知している）ＲＡＮノード３２０が先行するＲＡＮノード３４０からのコンテキストをフェッチできるようにすることができるため、有益であり得る。
【００８３】
本発明の一部の実施形態において、（決定的なセキュリティを付与される必要の無い）情報は、ＵＥに対し送信することができ、アイドル・モード中この情報をＵＥに記憶することができる。ＵＥはこのコンテキスト情報を、ｅＮＢ  ステータス更新メッセージを介してｅＮＢに提供することができる。本発明の実施形態は、別のノードからコンテキストをフェッチする必要の無い方法を提供するという利点を提供できる。
【００８４】
本発明の一部の実施形態において、（ＵＥによりｅＮＢに伝送される）メッセージは同様に、ＵＥが相対的信号強度を検出したアクセス・ポイントのＡＰ  ＩＤも含むことができる。メッセージは同様に、ＵＥが有しているＷＬＡＮトラフィックについての情報も含むことができる。どの辺りにさらなる好適なＡＰがあるかをｅＮＢが知っていると有益である場合がある。
【００８５】
一部の実施形態において、現在のＷＬＡＮサービスが満足のいくものでないとＵＥが決定した場合、ＵＥはｅＮＢに通知することができる。ＵＥは、トラフィックを生成または消費するアプリケーションに依存するＷＬＡＮトラフィック特性に関する経験品質（ＱｏＥ）構成のパラメータに基づいて、これを決定することができる。
【００８６】
本発明の一部の実施形態において、ｅＮＢは、ｅＮＢに対するＵＥ通知を制御するために使用できる要素をそのブロードキャスト信号に追加することができる。追加された要素は、信号ｔｏｇｇｌｅ＿ｎｏｔｉｆｙであり得る。アイドル状態のＵＥが新しいｅＮＢのセルにキャンプ・オンしている場合、このＵＥはｅＮＢブロードキャスト情報を獲得することを知っていると有用である可能性がある。ブロードキャスト情報は、多数のシステム・パラメータ、いわゆるシステム情報を含む。すなわち、一部の実施形態では、ｅＮＢブロードキャストに対し、新しいシステム情報要素ｔｏｇｇｌｅ＿ｎｏｔｉｆｙが追加される。このブロードキャスティングは、ｅＮＢがオーバーロードされる場合に有用であることができる。単一のｔｏｇｇｌｅ＿ｎｏｔｉｆｙが無い場合、または、ｔｏｇｇｌｅ＿ｎｏｔｉｆｙが一定の値をとる場合、ＵＥはｅＮＢに、セル内でのその存在について通知せず、したがって、エア・インターフェースにさらにシグナリングをロードすることはない。ｅＮＢはいずれにせよより多くのＷＬＡＮトラフィックをオンロードしないことが可能であったことを理由としてｅＮＢがＵＥに通知をしないようにさせることができるｅＮＢにおける高いロードの場合にこれは有益である。信号ｔｏｇｇｌｅ＿ｎｏｔｉｆｙは同様に、ＵＥがその通知の中でｅＮＢに提供している情報の量を制御することもできる。
【００８７】
一部の実施形態において、上述のプロシージャは、ＷＬＡＮ−ＲＡＮインターフェース無しで動作することができる。
【００８８】
ＵＥがＷＬＡＮ内でそのトラフィックを停止した場合、ＵＥは、ＡＰとＵＥのアソシエーションを中断することができる。このときＵＥは、３ＧＰＰアイドル・モードのみにしかあることができず、ＵＥは、もはやＲＡＮセル内でのオンロードの候補であることはできない。ダイレクトＷＬＡＮ−ＲＡＮインターフェースがない場合、ＵＥは、ステータスの変更についてＲＡＮノードに知らせなければならない場合がある。代替的には、タイマーをｅＮＢおよびＵＥで開始させることができる。ＵＥがなおも進行中のＷＬＡＮトラフィックを有する間にタイマーが切れた場合、ＵＥは、再びＵＥの存在についてｅＮＢに知らせることができる。タイマーが切れ、ＵＥがそれ以上進行中のトラフィックを有していない場合、ｅＮＢは、考えられるオンロード候補のリストからＵＥをクリアすることができる。
【００８９】
本発明の一部の実施形態において、ｅＮＢが、アクセス中のＷＬＡＮ  ＵＥのコンテキストを維持する場合には、ｅＮＢが、先行するｅＮＢに対し、ＷＬＡＮ  ＵＥが移動したことを知らせることができる。ｅＮＢは、ＷＬＡＮ  ＵＥによる通知をすでに受けている可能性がある。ＵＥは、先行するｅＮＢの識別情報について現在のｅＮＢに知らせることができる。現在のｅＮＢは、全ての隣接するｅＮＢに情報を与えることができる。
【００９０】
一部の実施形態において、ダイレクトＷＬＡＮ−ＲＡＮインターフェースが存在する場合、ＡＰは、ＲＡＮノードに、先に識別されたＵＥがすでにトラフィックを有していないことを知らせることができる。こうして、ＲＡＮは、ＵＥをノーマル・アイドル・モードＵＥとみなすことができるようになる。
【００９１】
ＵＭＴＳ地上波無線アクセス・ネットワーク（ＵＴＲＡＮ）がＵＥのＷＬＡＮ接続性について知らされた場合、３ＧネットワークへのＵＥの戻りに起因する新たなセットアップを回避するためより長時間にわたり、サービングＧＰＲＳサポート・ノード（ＳＧＳＮ）内のＵＥのパケットデータ収束プロトコル（ＰＤＣＰ）コンテキストを保持することができる。ＵＥは、多数の理由で、３Ｇネットワークに戻ることができる。ＵＴＲＡＮは、いくつかの自由容量を得、ＵＥのオンロードを呼び出して３Ｇに戻すことができる。さらに、ＷＬＡＮにおいてＵＥの無線品質の変化がＵＥを強制的に３Ｇに戻す可能性がある。
【００９２】
本発明の実施形態は、ＲＡＮ容量が解放された時点で潜在的なオンロード候補をＲＡＮが決定できるようにすることができる。本発明の実施形態では、アイドル・モードでも（ＵＥがＷＬＡＮネットワークに接続されているだけである場合でも）、ｅＮＢレベルにおいてＵＥを知ることができる。この知識は、円滑なページング・プロシージャを可能にすることができる。
【００９３】
上述のｅＮＢ更新シグナリングは、ＡＮＲを確立するためにも使用することができる。ネットワークベースのＡＮＲに比べた、ｅＮＢ更新シグナリングによって提供される利点は、ｅＮＢ更新シグナリングが、より高速で動作できるという点にある。
【００９４】
本発明の実施形態がＡＮＲのために使用される場合、ＵＥ更新を制御するブロードキャスト・シグナリングは、ＵＥがＡＮＲの目的でのみ更新する（利用可能なＡＰの全リストのみを送信する）か否か、またはＵＥがオンローディングを目的として更新するか否かを調節することができる。
【００９５】
図４は、一実施形態に係るオフローディングの実行を例示する。図４を参照すると、ＵＥが３ＧＰＰを用いてアイドル・モードで登録されている場合、ＵＥ４０１が接続を確立し始め、ＷＬＡＮ  ＡＰ４２０とユーザー・データを交換したならば、ＵＥは、ｅＮＢ  Ｓｔａｔｕｓ  Ｕｐｄａｔｅメッセージ４３０を介してｅＮＢに対し（ＷＬＡＮに対応する）アドレッシング情報を提供することができる。ＷＬＡＮに対応するアドレッシング情報は、例えばＷＬＡＮ  ＡＰのアクセス・ポイントＩＤおよび／またはアクセス・ポイント名を含むことができる。ｅＮＢ  Ｓｔａｔｕｓ  Ｕｐｄａｔｅメッセージ４３０を介して、ｅＮＢに提供されるアドレッシング情報は、ＵＥのアクセス要求内でＷＬＡＮにより取得可能である。図４で例示されたプロセスは、ＲＡＮとＷＬＡＮの間の初期ＡＮＲ関係を確立することができる。
【００９６】
図５は、一実施形態に係るアイドル・モードでのｅＮＢの変更を例示している。アイドル・モードでのｅＮＢの変更がある場合（ここで新しいｅＮＢ５２０が古いｅＮＢ５１０と同じトラッキング・エリア内にあり得る）、ＵＥは、先行するｅＮＢ５１０のｅＮＢ  ＩＤ、アクセス・ポイント（ＡＰ）ＩＤおよびＤＲＸ構成のうちの１つ以上を、ｅＮＢステータス更新メッセージ５３０内の標的ｅＮＢ５２０に対して提供することができる。先行するｅＮＢは、ＵＥが最後にキャンプ・オンしていたｅＮＢに対応する可能性がある。
【００９７】
任意の特徴として、標的ｅＮＢは、先行する（ソース）ｅＮＢのＩＤを使用して、ＵＥのコンテキスト情報をフェッチすることができる。標的ｅＮＢは、同様に、メッセージ５４０内のｅＮＢアドレス情報の変更を通信し、ＡＮＲマッピングを確立することもできる。標的ｅＮＢは、更新メッセージ５３０内の受信ＡＰ  ＩＤを用いてＡＰに対して変更を通信することができる。通信は、ＲＡＮ−ＷＬＡＮインターフェース上で行うことができる。
【００９８】
図６は、一実施形態に係るアイドル・モードでのアクセス・ポイント変更を例示する。ＵＥがアイドル・モードにある間にアクセス・ポイント変更があった場合、ＵＥは、標的ＡＰ６２０に、結び付けられたｅＮＢの情報（結び付けられたｅＮＢはｅＮＢ１  ６１０である）について知らせることができる。標的ＡＰ６２０は、そのＡＰ  ＩＤをＲＡＮ−ＷＬＡＮインターフェース上でｅＮＢ６１０に通信できる。この通信は、アイドル・モードにおいてでさえ、ＲＡＮ−ＷＬＡＮアドレス・マッピングを保持する一助となることができる。本発明の実施形態は、ＵＥがアイドル・モードで３ＧＰＰに登録されたとき、ＡＮＲの確立を可能にすることができる。図６のプロセスは、独立して実装することができる。
【００９９】
接続モードでは、ＵＥの移動に起因してｅＮＢまたはアクセス・ポイントに変更があった場合、ＲＡＮ−ＷＬＡＮインターフェース上で対応するエンティティに対して、新しいｅＮＢのアドレス情報または新しいアクセス・ポイントのアドレス情報を通信することができる。このような通信には、図５および６に示されたアイドル・モードのために使用されるものと同じシグナリング・メッセージを使用できると考えられる。
【０１００】
本発明の一部の実施形態において、ＷＬＡＮ−ＲＡＮインターフェースが存在する場合、ＵＥは、（１）ＵＥが使用しているＷＬＡＮ  ＡＰのＩＤ、および（２）ＵＥの一意的識別子について、３ＧＰＰ  ＲＡＮノードに知らせる必要しかない可能性がある。このとき、ＲＡＮノードは、例えば、（ＭＭＥがグローバル一意一時ＩＤ−ＩＭＳＩ（ＧＵＴＩ−ＩＭＳＩ）マッピングを記憶するにつれて）移動管理エンティティ（ＭＭＥ）から国際移動体加入者識別情報（ＩＭＳＩ）などを検索することができ、ＲＡＮノードは、この特定のＵＥについてのさらなる情報についてＡＰに連絡することができる。この情報は、オンロード決定のために使用できる。
【０１０１】
本発明の実施形態は、ＷＬＡＮでの進行中のトラフィックを伴う（３ＧＰＰを用いてアイドル・モードで登録されている）ＵＥが、新しいＲＡＮノードにキャンプ・オンしているときのその存在を迅速に告知することのできる、１つのメカニズムを含むことができる。この告知は、ＵＥをＲＡＮノードにとって「可視的なもの」にすることができる。次に、今度はＲＡＮノードが、このアイドル状態のＵＥを潜在的なオンロード候補とみなし、こうしてセルの負荷を増大する。ＲＡＮノードは、さらに、ポリシー・ルールおよび／または加入者クラスなどに基づいて、このＵＥのトラフィックのオンローディングを決断することさえできる。ＲＡＮノードは、このようなＵＥがＷＬＡＮネットワークに接続されていることおよびこれらのＵＥがＲＡＮノードのカバレッジ・エリア内にあることを知っている場合、オンローディングを実行することができる。
【０１０２】
３ＧＰＰ内でアイドル状態にあるＵＥは、その存在を迅速に、ＵＥがキャンプ・オンしているＲＡＮノードに告知することができる。ＵＥは、例えば、ＲＲＣ接続再確立メッセージなどの保護されていないシグナリング無線ベアラー０（ＳＲＢＯ）メッセージを用いて、その存在を告知することができる。
【０１０３】
ＵＥがＲＡＮノードに対して自らを告知できるようにする異なる詳細レベルが存在できる。最低レベルでは、ｅＮＢは、一定数のＵＥがＷＬＡＮアクティブであることしか知らない可能性がある。次のレベルでは、ｅＮＢは、どのＵＥがそこにあるか、および／またはＵＥがどれほどのＷＬＡＮトラフィックを搬送しているかなどを知ることができる。
【０１０４】
一実施形態において、ｅＮＢは、ＷＬＡＮトラフィックを伴うＵＥの存在について情報を受けることができるか、ＵＥに関する情報は概して全く中継されない。情報は、潜在的にＲＡＣＨ内で伝送可能である。この実施形態を使用した場合に考えられる１つの利点は、単純さである。
【０１０５】
図７は、本発明の一部の実施形態に係る方法の論理流れ図を例示する。図７に例示されている方法は、７１０において、ユーザー機器がキャンプ・オンするネットワーク・ノードを該ユーザー機器が変更したことを該ユーザー機器により通知するステップを含むことができる。ユーザー機器は第１のネットワーク・ノードへのキャンプ・オンから第２のネットワーク・ノードへのキャンプ・オンへと変更することができる。ユーザー機器は、第１および第２のネットワーク・ノードにキャンプ・オンしている間アイドル・モードにあることができる。第１のネットワーク・ノードと第２のネットワーク・ノードは両方共第１のネットワークに属することができる。通知ステップは、ユーザー機器が第２のネットワークの第３のネットワーク・ノードに対するセッションを維持するときに行われることができる。通知ステップは、ユーザー機器が第２のネットワークの第３のネットワーク・ノードに対するセッションを維持していないときには行われない可能性がある。方法は同様に、７２０においてオフローディング・セッションをも含むことができる。
【０１０６】
図８は、一実施形態に係る装置を例示する。装置８００は、装置８００がキャンプ・オンするネットワーク・ノードを該装置８００が変更したことを通知するための通知手段８１０を備えることができる。装置８００は第１のネットワーク・ノードへのキャンプ・オンから第２のネットワーク・ノードへのキャンプ・オンへと変更することができる。装置８００は、第１および第２のネットワーク・ノードにキャンプ・オンしている間アイドル・モードにあることができる。第１のネットワーク・ノードと前記第２のネットワーク・ノードは両方共第１のネットワークに属することができる。通知ステップは、装置８００が第２のネットワークの第３のネットワーク・ノードに対するセッションを維持するときに行われることができる。通知ステップは、装置８００が第２のネットワークの第３のネットワーク・ノードに対するセッションを維持していないときには行われない可能性がある。装置８００は同様に、セッションをオフロードするためのオフローディング手段８２０も備えることができる。
【０１０７】
図９は、一実施形態に係る装置を例示する。装置９００は、装置９００がキャンプ・オンするネットワーク・ノードを該装置９００が変更したことを通知するための通知手段９１０を備えることができる。装置９００は第１のネットワーク・ノードへのキャンプ・オンから第２のネットワーク・ノードへのキャンプ・オンへと変更することができる。装置９００は、第１および第２のネットワーク・ノードにキャンプ・オンしている間アイドル・モードにあることができる。第１のネットワーク・ノードと第２のネットワーク・ノードは両方共第１のネットワークに属することができる。通知ステップは、装置９００が第２のネットワークの第３のネットワーク・ノードに対するセッションを維持するとき行われることができる。通知ステップは、装置９００が第２のネットワークの第３のネットワーク・ノードに対するセッションを維持していないときには行われない可能性がある。装置９００は同様に、セッションをオフロードするためのオフローディング・ユニット９２０も備えることができる。
【０１０８】
図１０は、一実施形態に係る方法を例示する。方法は、１０１０において、ユーザー機器がキャンプ・オンするネットワーク・ノードを該ユーザー機器が変更したことの通知を第１のネットワーク・ノードにより受信するステップを含むことができる。ユーザー機器は第２のネットワーク・ノードへのキャンプ・オンから第１のネットワーク・ノードへのキャンプ・オンへと変更することができる。ユーザー機器は、第１および前記第２のネットワーク・ノードにキャンプ・オンしている間アイドル・モードにあることができる。第２のネットワーク・ノードと第１のネットワーク・ノードは両方共第１のネットワークに属することができる。方法は、１０２０において、第２のネットワークの第３のネットワーク・ノードに対して通知の情報を転送するステップを含むことができる。
【０１０９】
図１１は、一実施形態に係る装置を例示する。装置１１００は、ユーザー機器がキャンプ・オンするネットワーク・ノードを該ユーザー機器が変更したことの通知を受信するための受信手段１１１０を含むことができる。ユーザー機器は第１のネットワーク・ノードへのキャンプ・オンから装置１１００へのキャンプ・オンへと変更することができる。ユーザー機器は、装置および第１のネットワーク・ノードにキャンプ・オンしている間アイドル・モードにあることができ、第１のネットワーク・ノードと装置は両方共第１のネットワークに属することができる。装置１１００は、第２のネットワークの第２のネットワーク・ノードに対して通知の情報を転送するための転送手段１１２０を含むことができる。
【０１１０】
図１２は、一実施形態に係る装置を例示する。装置１２００は、ユーザー機器がキャンプ・オンするネットワーク・ノードを該ユーザー機器が変更したことの通知を受信するための受信手段１２１０を含むことができる。ユーザー機器は第１のネットワーク・ノードへのキャンプ・オンから装置１２００へのキャンプ・オンへと変更することができる。ユーザー機器は、装置１２００および第１のネットワーク・ノードにキャンプ・オンしている間アイドル・モードにあることができ、第１のネットワーク・ノードと装置は両方共第１のネットワークに属することができる。装置１２００は、第２のネットワークの第２のネットワーク・ノードに対して通知の情報を転送するための転送ユニット１２２０を含むことができる。
【０１１１】
図１３は、本発明の実施形態に係る装置１０を例示する。装置１０は、デバイス、例えばユーザー機器であり得る。他の実施形態において、装置１０は、基地局（例えばノードＢまたは進化型ノードＢ）および／またはアクセス・ポイントなどであり得る。
【０１１２】
装置１０は、情報を処理し命令またはオペレーションを実行するためのプロセッサー２２を含むことができる。プロセッサー２２は、任意のタイプの汎用また特定用途プロセッサーであり得る。図１３には、単一のプロセッサー２２が示されているが、他の実施形態によると、多数のプロセッサーを使用することができる。プロセッサー２２は同様に、一例として汎用コンピュータ、専用コンピュータ、マイクロプロセッサー、デジタル信号プロセッサー（ＤＳＰ）、フィールド・プログラマブル・ゲート・アレイ（ＦＰＧＡ）、特定用途向け集積回路（ＡＳＩＣ）、およびマルチコア・プロセッサー・アーキテクチャに基づくプロセッサーのうちの１つ以上を含むこともできる。
【０１１３】
装置１０はさらに、プロセッサー２２により実行され得る情報および命令を記憶するためにプロセッサー２２に結合されたメモリ１４を備えることができる。メモリ１４は、ローカル・アプリケーション環境に好適なあらゆるタイプの１つ以上のメモリであり得、半導体ベースのメモリ・デバイス、磁気メモリ・デバイスおよびシステム、光学メモリ・デバイスおよびシステム、固定メモリおよび着脱式メモリなどの任意の好適な揮発性または不揮発性データ記憶技術を用いて実装され得る。例えば、メモリ１４は、ランダム・アクセス・メモリ（ＲＡＭ）、読取り専用メモリ（ＲＯＭ）、磁気または光ディスクなどの静的記憶装置、または、他の任意のタイプの非一時的マシンまたはコンピュータ可読媒体の任意の組合せで構成され得る。メモリ１４内に記憶された命令は、プロセッサー２２により実行されたとき装置１０が本明細書中に記載のタスクを行うことができるようにするプログラム命令またはコンピュータ・プログラム・コードを含むことができる。
【０１１４】
装置１０は、同様に、装置１０へおよび装置１０から信号および／またはデータを伝送および受信するための１つ以上のアンテナ（図示せず）を備えることもできる。装置１０はさらに、アンテナによる伝送のため情報を搬送波波形へと変調し、装置１０の他の要素によりさらに処理するためにアンテナを介して受信した情報を復調する送受信機２８を備えることができる。他の実施形態において、送受信機２８は、信号またはデータを直接伝送し受信する能力を有することができる。
【０１１５】
プロセッサー２２は、非限定的に、アンテナ利得／位相パラメータのプリコーディング、通信メッセージを形成する個別のビットのエンコーディングおよびデコーディング、情報の「フォーマッティング」および、通信リソースの管理に関係するプロセスを含む装置１０の全体的制御を含む、装置１０の動作に結び付けられる機能を行うことができる。
【０１１６】
一部の実施形態において、メモリ１４は、プロセッサー２２によって実行された場合に機能性を提供するソフトウェア・モジュールを記憶する。モジュールは、装置１０のためのオペレーティング・システム機能性を提供するオペレーティング・システム１５を含むことができる。メモリは同様に、装置１０のための追加の機能性を提供するための、アプリケーションまたはプログラムなどの１つ以上の機能モジュール１８を記憶することもできる。装置１０の構成要素は、ハードウェアの形で、またはハードウェアおよびソフトウェアの任意の好適な組合せとして、実装可能である。
【０１１７】
図１４は、本発明の実施形態に係るシステムを例示する。システム１４００は、第１の装置１４１０を含む。第１の装置１４１０は、第１の装置１４１０がキャンプ・オンするネットワーク・ノードを第１の装置１４１０が変更したことを通知するための通知手段１４１１を備えることができる。第１の装置１４１０は、第１のネットワーク・ノードへのキャンプ・オンから第２の装置１４２０へのキャンプ・オンへと変更することができる。第１の装置１４１０は、第１のネットワーク・ノードおよび第２装置１４２０にキャンプ・オンしている間アイドル・モードにあることができる。第１のネットワーク・ノードと第２の装置１４２０は両方共第１のネットワークに属している。通知ステップは、第１の装置１４１０が第２のネットワークの２のネットワーク・ノードに対するセッションを維持するときに行われることができる。通知ステップは、第１の装置１４１０が第２のネットワークの第２のネットワーク・ノードに対するセッションを維持していないときには行われない可能性がある。第１の装置１４１０は、セッションをオフロードするためのオフロード手段１４１２も同様に備えることができる。システム１４００は、第２の装置１４２０を備えることができる。第２の装置１４２０は、第１の装置１４１０がキャンプ・オンするネットワーク・ノードを第１の装置１４１０が変更したことの通知を受信するための受信手段１４２１とを備えることができる。第２の装置１４２０は、第２のネットワークの第２のネットワーク・ノードに対して通知の情報を転送するための転送手段１４２２を含むことができる。
【０１１８】
ＬＴＥのための上述の実施例においては、ｅＮＢがＲＡＮネットワーク内でアクセス・ポイントまたは基地局の役割を果たすことができ、３Ｇについては、ノードＢ（ＮＢ）が、ＲＡＮネットワーク内でアクセス・ポイントまたは基地局の役割を果たすことができる。３Ｇの場合には、無線リソース制御（ＲＲＣ）プレーンは、ＮＢの形ではなく３Ｇ無線ネットワーク・コントローラ要素（ＲＮＣ）の形で実装可能である。ＩＤＬＥまたはＣＥＬＬ＿ＰＣＨ状態において、ＵＥは、ＷＬＡＮアソシエーションまたはトラフィックを有する場合にその存在についてＮＢに通知することができる。このとき、ＮＢは、ＲＮＣに知らせることができる。一実施形態において、ＩＤＬＥ  ＵＥは、短時間、ＮＢを介して直接ＲＮＣに知らせるためのＲＲＣ接続を確立することができる。ＵＥがＣＥＬＬ＿ＦＡＣＨ状態にある場合、ＵＥはその存在についてＮＢに知らせることができる。この場合、ＵＥは同様に、そのＷＬＡＮアソシエーションまたはトラフィックについて知らせることもできる。５Ｇについては、ＡＰが、ＲＡＮネットワーク内でアクセス・ポイントまたは基地局の役割を果たすことができ、ｅＮＢまたはＮＢに関してはアナログ・プロシージャを適用できる。
【０１１９】
本発明の説明された特徴、利点および特性は、１つ以上の実施形態の中で任意の好適な形で組合せることができる。当業者であれば、特定の実施形態の具体的な特徴、または利点の１つ以上が無い形で、本発明を実践することが可能であるということを認識するだろう。他の事例においては、本発明の全ての実施形態内に存在しない可能性のある追加の特徴および利点を、一定の実施形態の中に認識することができる。当業者であれば、以上で論述したような本発明が、ステップを異なる順序にして、および／またはハードウェア要素を開示されている構成とは異なる構成にして実施できることを、容易に理解するものである。したがって、これらの好適な実施形態に基づいて本発明を説明してきたが、当業者にとっては、本発明の趣旨または範囲内にとどまりながら、一定の修正、変更および代替的構成が明白であることは、明らかである。
【図１ａ】
0006426837.tif 000002
【図１ｂ】
0006426837.tif 000003
【図２】
0006426837.tif 000004
【図３】
0006426837.tif 000005
【図４】
0006426837.tif 000006
【図５】
0006426837.tif 000007
【図６】
0006426837.tif 000008
【図７】
0006426837.tif 000009
【図８】
0006426837.tif 000010
【図９】
0006426837.tif 000011
【図１０】
0006426837.tif 000012
【図１１】
0006426837.tif 000013
【図１２】
0006426837.tif 000014
【図１３】
0006426837.tif 000015
【図１４】
0006426837.tif 000016